(57)【要約】      （修正有）【課題】簡易な機構で容易にベッドを移動させる器具を提供する。【解決手段】取付部２０は、略コ字型に形成されたカバー部２２を有しており、カバー部２２の両側面には貫通孔が同一軸上に穿たれている。貫通孔には、レバー部２４の貫通軸が通され、貫通軸の貫通孔と嵌合していない部分は、貫通軸２４の中心軸から取付部２０のカバー部２２の底部方向に偏心している。また、ハンドル部３０の両端がピンによって取付部２０のフランジ２６に回動可能に取り付けられている。この取付部２０をカバー部２２の略コ字型に形成された部分の底面内側がベッドの横フレーム１４に接触するように横フレーム１４の両端に取り付ける。こうすると、レバー部２４の取っ手を貫通軸の中心軸周りに回すだけで、貫通軸によってベッドの横フレーム１４が取付部２０の底部に押しつけられるので、ベッド移動用ハンドルが横フレーム１４に固定される。【選択図】図２
0003145995.tif 000002
【実用新案登録請求の範囲】
【請求項１】
脚部に移動用キャスタを備えたベッドのフレームに着脱可能な取付手段と、
前記取付手段に、前記ベッドの外側に向けて取り付けられた、使用者が把握し押し引きするためのハンドル部と、
を備えたことを特徴とするベッド移動用ハンドル。
【請求項２】
請求項１に記載のベッド移動用ハンドルにおいて、
前記取付手段は、
前記ベッドのフレームの中心軸と直角方向の断面が略コ字型に形成され、
前記ベッドのフレームに取り付けた状態において、前記略コ字型に形成された部分の底部が前記ベッドのフレームに接触した状態で前記ベッドのフレームの一部を覆い、
前記略コ字型に形成された部分の両側面に、前記ベッドのフレームの中心軸と直角方向に中心軸が一致する貫通孔が穿たれたカバー部と、
前記取付手段の両側面に穿たれた貫通孔に貫通する貫通軸及び該貫通軸に対し所定の角度で取り付けられた取っ手を有し、
前記貫通軸の先端は、前記カバー部の一方の側面の貫通孔に嵌合し、
前記貫通軸の後端は、前記カバー部の他方の側面の貫通孔と嵌合し、
前記貫通軸の先端及び後端で前記カバー部の両側面で嵌合する部分は、その回転中心軸が、前記カバー部の両側面の貫通孔の中心軸と一致し、前記貫通孔に嵌合する部分以外の部分の中心軸は、貫通孔の中心軸から前記カバーの底面に向けて偏心するように形成されたレバー部と、
を備え、
前記ハンドル部は、
筒状の材料が略コ字型に形成され、略コ字型に形成された前記筒状の材料の両端に、それぞれ前記取付手段のカバー部の一方の側面に取り付けられていることを特徴とするベッド移動用ハンドル。
【請求項３】
請求項２に記載のベッド移動用ハンドルにおいて、
前記取付手段は、
前記カバー部の略コ字型に形成された側面の一方の側面に前記ハンドル部を取り付けるための略コ字型に形成されたフランジを有し、
前記フランジの略コ字型に形成された部分の両側面には、前記ベッドのフレームと略平行に中心軸を有する２箇所の貫通孔が穿たれており、
前記ハンドル部は、
前記フランジの２箇所の貫通孔の中心軸と同軸となる貫通孔が穿たれ、
前記フランジの２箇所の貫通孔と前記ハンドル部の両端の貫通孔とに貫装されるピンにより前記フランジに装着されることを特徴とするベッド移動用ハンドル。
【考案の詳細な説明】
【技術分野】
【０００１】
本考案は、主に病院及び医院で使用される移動可能なベッドを移動させる際に用いるベッド移動用のハンドルに関する。
【背景技術】
【０００２】
従来、主に病院及び医院では、脚部の先端に脚部の軸周りに回転可能な移動用キャスタが取り付けられた移動可能なベッドが用いられている。このベッドでは、看護師や付添人などがベッドのフレームを持って押したり引いたりすることにより、病室内でのベッドの配置変更や他の病室あるいは手術室への移動を行うことができるようになっている。
【０００３】
このような移動可能ベッドでは、複数の移動用キャスタのみで移動させるようになっているため、角部を曲がる時の姿勢を保つことが困難であるという問題があった。
この問題を解決するため、ベッド本体の長手方向の一端側にモータによって向きを自在に変えることができる方向案内輪を設け、この方向案内輪の向きを、制御部を介して遠隔操作することにより、容易かつ正確にベッドの向きを制御するようにしたベッドがある（例えば、特許文献１参照）。
【特許文献１】特開平９−２２４９８１号公報
【考案の開示】
【考案が解決しようとする課題】
【０００４】
ところが、上記のような方向案内輪の方向を制御する方式では、ベッドを移動させる際に、移動方向は制御することはできるが、ベッドを移動させるために押し引きする際に看護師などがベッドを押し引きし難いという問題があった。
【０００５】
つまり、看護師などがバッドを移動させる際に押し引きするのは、ベッドの端の部分であるため、移動させる者の足が移動用キャスタ部分に挟まれたり、ベッドの端部に脚がぶつかったりすることは防止できなかった。
【０００６】
また、方向案内輪の方向を制御するためのモータや制御部あるいはバッテリが必要であり、構造が複雑で高価となり、さらには、それら構成物の重量のためベッド自体の重量も大きくなり、却って押し引きすることが困難になるという問題があった。
【０００７】
本考案は、こうした問題に鑑みなされたもので、簡易な機構で容易にベッドを移動させる器具を提供することを目的とする。
【課題を解決するための手段】
【０００８】
かかる問題を解決するためになされた請求項１に記載の考案では、取付手段（２０：この欄においては、考案に対する理解を容易にするため、必要に応じて「考案を実施するための最良の形態」欄において用いた符号を付すが、この符号によって請求の範囲を限定することを意味するものではない。）によりハンドル部（３０）がベッド（１０）のフレーム（１４）から外側向けて取り付けられる。
【０００９】
つまり、ハンドル部（３０）がベッド（１０）の縁から外側に取り付けられるので、使用者がベッド（１０）を押して移動させる場合には、ハンドル部（３０）を押すことにより、ベッド（１０）の縁やフレーム（１４）から離れたところを押すことになる。したがって、足先が移動用キャスタ（１２）に挟まったり、脚がベッド（１０）にぶつかったりするというようなことがなくなる。
【００１０】
また、ハンドル部（３０）と移動用キャスタ（１２）の位置が離れることにより、ベッド（１０）を回転させる場合の慣性モーメントを大きくすることができるので、少ない力でベッド（１０）を回転させることができるようになる。
【００１１】
ここで、「使用者」とは、ベッド（１０）に寝ている患者ではなく、看護師や付添人などベッド（１０）を移動させる人をいう。
また、ハンドルをベッド（１０）のフレーム（１４）に着脱可能に取り付けるための取付手段（２０）とハンドル部（３０）は、請求項２に記載のような構成となっているとよい。つまり、取付手段（２０）をカバー部（２２）とレバー部（２４）から構成する。
【００１２】
カバー部（２２）は、ベッド（１０）のフレーム（１４）の中心軸と直角方向の断面が略コ字型に形成され、ベッド（１０）のフレーム（１４）に取り付けた状態において、略コ字型に形成された部分の底部が前記ベッド（１０）のフレーム（１４）に接触した状態でベッド（１０）のフレーム（１４）の一部を覆うようになっている。
【００１３】
また、略コ字型に形成された部分の両側面（２２ａ，２２ｂ）に、ベッド（１０）のフレーム（１４）の中心軸と直角方向に中心軸が一致する貫通孔（２８ａ，２８ｂ）が穿たれている。
【００１４】
レバー部（２４）は、取付手段（２０）の両側面（２２ａ，２２ｂ）に穿たれた貫通孔（２８ａ，２８ｂ）に貫通する貫通軸（２４ａ）及びその貫通軸（２４ａ）に対し所定の角度で取り付けられた取っ手（２４ｂ）を有している。
【００１５】
貫通軸（２４ａ）の先端は、カバー部（２２）の一方の側面（２２ｂ）の貫通孔（２８ｂ）に嵌合し、貫通軸（２４ａ）の後端は、カバー部（２２）の他方の側面（２２ａ）の貫通孔（２８ａ）と嵌合している。
【００１６】
また、貫通軸（２４ａ）の先端及び後端でカバー部（２２）の両側面（２２ａ，２２ｂ）で嵌合する部分は、その回転中心軸が、カバー部（２２）の両側面（２２ａ，２２ｂ）の貫通孔（２８ａ，２８ｂ）の中心軸と一致し、貫通孔（２８ａ，２８ｂ）に嵌合する部分以外の部分の中心軸は、貫通孔（２８ａ，２８ｂ）の中心軸からカバー部（２２）の底面に向けて偏心するように形成されている。
【００１７】
ハンドル部（３０）は、筒状の材料が略コ字型に形成され、略コ字型に形成された筒状の材料の両端に、それぞれ取付手段（２０）のカバー部（２２）の一方の側面（２２ａ）に取り付けられている。
【００１８】
取付手段（２０）がこのように構成されていると、ベッド移動用ハンドル（１）を容易にベッド（１０）のフレーム（１４）に取り付けることができる。以下説明する。
すなわち、使用者がカバー部（２２）をベッド（１０）のフレーム（１４）を覆うように取り付けた後、カバー部（２２）の両側面（２２ａ，２２ｂ）に穿たれた貫通孔（２８ａ，２８ｂ）にレバー部（２４）の貫通軸（２４ａ）を通した後、取っ手（２４ｂ）を貫通軸（２４ａ）の中心軸周りに回転させるように捻ることにより貫通軸（２４ａ）を回転させる。
【００１９】
すると、貫通軸（２４ａ）のうちカバー部（２２）の両側面（２２ａ，２２ｂ）の貫通孔（２８ａ，２８ｂ）に嵌合していない部分が、貫通孔（２８ａ，２８ｂ）の中心軸に対し、略コ字型に形成されているカバー部（２２）の略コ字型に形成された部分の底面側に偏心しているので、その底面と貫通軸（２４ａ）の偏心している部分とで、ベッド（１０）のフレーム（１４）を挟むことになる。
【００２０】
このように、使用者がレバー部（２４）の取っ手（２４ｂ）を貫通軸（２４ａ）の中心軸周りに回転させるように捻るだけで、ベッド移動用ハンドル（１）を容易にベッド（１０）のフレーム（１４）に取り付けることができる。
【００２１】
ところで、ハンドル部（３０）分が取付手段（２０）に固定されておらず、ベッド（１０）のフレーム（１４）と同じ方向に折り畳めるようになっていると都合がよい。そこで、請求項３に記載のように、取付手段（２０）は、カバー部（２２）の略コ字型に形成された側面（２２ａ，２２ｂ）の一方の側面（２２ａ）にハンドル部（３０）を取り付けるための略コ字型に形成されたフランジ（２６）を設ける。
【００２２】
また、フランジ（２６）の略コ字型に形成された部分の両側面には、ベッド（１０）のフレーム（１４）と略平行に中心軸を有する２箇所の貫通孔（２６ｃ，２６ｄ）を穿つ。
さらに、ハンドル部（３０）は、フランジ（２６）の２箇所の貫通孔（２６ｃ，２６ｄ）の中心軸と同軸となる貫通孔（３０ａ，３０ｂ）が穿たれ、フランジ（２６）の２箇所の貫通孔（２６ｃ，２６ｄ）とハンドル部（３０）の両端の貫通孔（３０ａ，３０ｂ）とに貫装されるピン（３２）によりフランジ（２６）に装着されるようにするとよい。
【００２３】
このようにすると、ピン（３２）を中心としてハンドル部（３０）が回転する。つまり、ハンドル部（３０）がピン（３２）を中心として、ベッド（１０）のフレーム（１４）と同じ面から出し入れできるようになるので、ベッド（１０）を移動させるときには、ハンドル部（３０）を引き出し、移動させないときには、ハンドル部（３０）をベッド（１０）にフレーム（１４）と同じ面に収納しておくことができ、邪魔にならないので便利である。
【考案を実施するための最良の形態】
【００２４】
以下、本考案が適用された実施形態について図面を用いて説明する。なお、本考案の実施の形態は、下記の実施形態に何ら限定されることはなく、本考案の技術的範囲に属する限り種々の形態を採りうる。
【００２５】
［第１実施形態］
（ベッド移動用ハンドル１の構成）
図１は、本考案が適用されたベッド移動用ハンドル１が取り付けられたベッド１０の概観を示す図であり、図２は、ベッド移動用ハンドル１のベッド１０の横フレーム１４への取付状態を示す三面図である。また、図３は、取付部２０のカバー部２２の外観を示す三面図、図４は、取付部２０のレバー部２４の外観を示す二面図、図５は、ハンドル部３０の外観を示す二面図である。
【００２６】
なお、以下の説明で、取付部２０は、ハンドル部３０の両端の２箇所に取り付けられるが、その形状は左右対称であるので、説明を簡単にするため、２つの取付部２０うち１つにつきて説明し、他方についての説明は省略する。
【００２７】
ベッド移動用ハンドル１は、脚部に移動用キャスタ１２を備えたベッド１０の横フレーム１４に着脱可能な取付部２０と、取付部２０に、ベッド１０の外側に向けて取り付けられた、使用者が把握し押し引きするためのハンドル部３０とを備えている。
【００２８】
取付部２０は、図２に示すようにカバー部２２及びレバー部２４を備えている。
カバー部２２は、図３に示すように、ベッド１０の金属性のパイプで形成された横フレーム１４の中心軸と直角方向の断面が略コ字型に形成されている。また、ベッド１０の横フレーム１４に取り付けた状態において、略コ字型に形成された部分の底部がベッド１０の横フレーム１４に接触した状態でベッド１０の横フレーム１４の一部を覆い、略コ字型に形成された部分の両側面２２ａ，２２ｂに、ベッド１０の横フレーム１４の中心軸と直角方向に中心軸が一致する貫通孔２８ａ，２８ｂが穿たれている。
【００２９】
なお、後述するように、貫通孔２８ａ、２８ｂには、レバー部２４の貫通軸２４ａが通されるため、貫通孔２８ｂの直径は、貫通孔２８ａの直径より小さなものとなっている。
ここで、「略コ字型」とは、コ字型からに形成された際に、底面と側面の成す角度や両側面の長さに多少の誤差を許容する意味である。
【００３０】
また、取付部２０は、カバー部２２の略コ字型に形成された側面２２ａ，２２ｂの一方の側面２２ａにハンドル部３０を取り付けるための略コ字型に形成されたフランジ２６を有している。
【００３１】
そして、フランジ２６の略コ字型に形成された部分の両側面２６ａ，２６ｂには、ベッド１０の横フレーム１４と略平行に中心軸を有する２箇所の貫通孔２６ｃ，２６ｄが穿たれている。
【００３２】
レバー部２４は、図４に示すように、取付部２０の両側面２２ａ，２２ｂに穿たれた貫通孔２８ａ，２８ｂに貫通する貫通軸２４ａ及びその貫通軸２４ａに対し所定の角度で取り付けられた取っ手２４ｂを有している。
【００３３】
ここで、「所定の角度」とは、使用者が取っ手２４ｂを握りやすいような角度を意味しており、貫通軸２４ａの貫通孔２８ａから取っ手２４ｂまでの距離や取っ手２４ｂの長さで決定される角度である。本実施形態では、直角又は直角から少し大きい角度である。
【００３４】
貫通軸２４ａの先端２４ｃは、カバー部２２の一方の側面２２ａの貫通孔２８ａに嵌合し、貫通軸２４ａの後端２４ｄは、カバー部２２の他方の側面２２ｂの貫通孔２８ｂと嵌合している。
【００３５】
また、貫通軸２４ａの先端２４ｃ及び後端２４ｄでカバー部２２の両側面２２ａ，２２ｂで貫通孔２８ａ，２８ｂに嵌合する部分は、その回転中心軸が、カバー部２２の両側面２２ａ，２２ｂの貫通孔２８ａ，２８ｂの中心軸と一致し、嵌合する部分以外の中心軸は、貫通孔２８ａ，２８ｂの中心軸からカバー部２２の底面に向けて偏心している。
【００３６】
なお、貫通軸２４ａは、カバー部２２の両側面２２ａ、２２ｂの貫通孔２８ａ，２８ｂに通されるため、貫通軸２４ａの先端２４ｃの直径は、後端２４ｄの直径より小さいものとなっている。
【００３７】
ハンドル部３０は、図５に示すように、筒状の材料が略コ字型に形成され、略コ字型に形成された筒状の材料の両端に、それぞれ取付部２０のカバー部２２の一方の側面２２ａに取り付けられている。
【００３８】
また、ハンドル部３０は、フランジ２６の２箇所の貫通孔２６ｃ，２６ｄの中心軸と同軸となる貫通孔３０ａ，３０ｂが穿たれ、前述のフランジ２６の２箇所の貫通孔２６ｃ，２６ｄとハンドル部３０の両端の貫通孔３０ａ，３０ｂとに、鋼などの金属製のピン３２が貫装されることによりフランジ２６に装着される。
【００３９】
（ベッド移動用ハンドル１の特徴）
以上のように構成されたベッド移動用ハンドル１は、取付部２０によりハンドル部３０がベッド１０の横フレーム１４から外側向けて取り付けられる。
【００４０】
つまり、ハンドル部３０がベッド１０の縁から離れたところに位置するので、使用者がベッド１０を押して移動させる場合には、ハンドル部３０を押すことになり、ベッド１０の縁や横フレーム１４から離れたところを押すことになる。したがって、足先が移動用キャスタ１２に挟まったり、脚がベッド１０にぶつかったりするというようなことがなくなる。
【００４１】
また、ハンドル部３０と移動用キャスタ１２の位置が離れることにより、ベッド１０を回転させる場合の慣性モーメントを大きくすることができるので、少ない力でベッド１０を回転させることができるようになる。
【００４２】
また、使用者がカバー部２２をベッド１０の横フレーム１４を覆うように取り付けた後、カバー部２２の両側面２２ａ，２２ｂに穿たれた貫通孔２８ａ，２８ｂにレバー部２４の貫通軸２４ａを通した後、取っ手２４ｂを貫通軸２４ａの中心軸周りに回転させるように捻ることにより貫通軸２４ａを回転させる。
【００４３】
すると、貫通軸２４ａのうちカバー部２２の両側面２２ａ，２２ｂの貫通孔２８ａ，２８ｂに嵌合していない部分が、貫通孔２８ａ，２８ｂの中心軸に対し、略コ字型に形成されているカバー部２２の略コ字型に形成された部分の底面側に偏心しているので、その底面と貫通軸２４ａの偏心している部分とで、ベッド１０の横フレーム１４を挟むことになる。
【００４４】
このように、使用者がレバー部２４の取っ手２４ｂを貫通軸２４ａの中心軸周りに回転させるように捻るだけで、ベッド移動用ハンドル１を容易にベッド１０の横フレーム１４に取り付けることができるのである。
【００４５】
さらに、ハンドル部３０の両端の貫通孔３０ａ，３０ｂに貫装されるピン３２によりフランジ２６に装着されているので、ハンドル部３０がピン３２を中心として、ベッド１０の横フレーム１４と同じ面から出し入れできるようになる。
【００４６】
したがって、ベッド１０を移動させるときには、ハンドル部３０を引き出し、移動させないときには、ハンドル部３０をベッド１０に横フレーム１４と同じ面に収納しておくことができ、邪魔にならないので便利である。
【００４７】
［第２実施形態］
次に、ベッド１０の横フレーム１４が金属製のパイプではなく、板材で形成された場合について図６に基づき説明する。第２実施形態のベッド１０は、図６に示すように、金属や木製の板材で形成され、重量軽減あるいはデザイン性を確保するために略中央部分がくり抜かれている。このように板材をくり抜くことによって、板材の上部が細くなるので、この部分が横フレーム１４となる。
【００４８】
そして、この横フレーム１４の２箇所（図６中に斜線で示した部分）に、第１実施形態における説明と同様に、取付部２０のカバー部２２を取り付け、レバー部２４を捻ることによって、ベッド移動用ハンドル１を横フレーム１４に取り付ける。
【００４９】
以上、本考案の実施形態について説明したが、本考案は、本実施形態に限定されるものではなく、種々の態様を採ることができる。
例えば、上記実施形態では、ハンドル部３０を取付部２０に回動可能となるようにピン３２で取り付けたが、ハンドル部３０を取付部２０に固定してもよい。
【００５０】
また、上記実施形態では、ベッド１０の横フレーム１４に取付部２０を固定したが、縦フレームに固定してもよい。
【図面の簡単な説明】
【００５１】
【図１】ベッド移動用ハンドル１が取り付けられたベッド１０の概観を示す図である。
【図２】ベッド移動用ハンドル１のベッド１０の横フレーム１４への取付状態を示す三面図である。
【図３】取付部２０のカバー部２２の外観を示す三面図である。
【図４】取付部２０のレバー部２４の外観を示す二面図である。
【図５】ハンドル部３０の外観を示す二面図である。
【図６】第２実施形態におけるベッド１０のフレームの外観を示す三面図である。
【符号の説明】
【００５２】
１…ベッド移動用ハンドル、１０…ベッド、１２…移動用キャスタ、１４…横フレーム、２０…取付部、２２…カバー部、２２ａ，２２ｂ…側面、２４…レバー部、２４ａ…貫通軸、２４ｂ…取っ手、２４ｃ…先端、２４ｄ…後端、２６…フランジ、２６ａ，２６ｂ…側面、２６ｃ，２６ｄ，２８ａ，２８ｂ，３０ａ，３０ｂ…貫通孔、３０…ハンドル部、３２…ピン。
【図１】
0003145995.tif 000003
【図２】
0003145995.tif 000004
【図３】
0003145995.tif 000005
【図４】
0003145995.tif 000006
【図５】
0003145995.tif 000007
【図６】
0003145995.tif 000008